(57)【特許請求の範囲】
【請求項１】
外壁パネル４が取付けられる下地材２に取付けられる取付部３と、上階と下階の外壁パネル４間の隙間９より延出して下階の外壁パネル４の上端部前面、又は基礎構造と外壁パネル間の隙間９より延出して基礎構造の上端部に前面まで覆い被さるカバー部５を有する金属製又は硬質樹脂ないし硬質ゴム製の水切り本体２２と、該水切り本体２２の裏面に取付手段によって取付けられ、外壁パネル４又は基礎構造の上端部に弾接する軟質樹脂又は軟質ゴム製のリップ２８ａ、２８ｂ、２８ｃを一体形成した樹脂又はゴム成形品よりなるシール部２３とを有する建物外壁の防水用水切り材において、上記リップが外壁パネル上端部又は基礎構造上端部に内外から弾接する第１及び第２のリップ２８ａ、２８ｂと、外壁パネル上端面又は基礎構造上端面に弾接する第３のリップ２８ｃとよりなることを特徴とする建物外壁の防水用水切り材。
【請求項２】
上記取付手段が水切り本体に形成される被嵌合部２６と、シール部２３に一体形成され、上記被嵌合部２６に押し込んで嵌合係止する嵌合部２９とよりなることを特徴とする請求項１記載の建物外壁の防水用水切り材。
【発明の詳細な説明】
【技術分野】
【０００１】
本発明は、建築物の上階と下階の外壁パネル間の隙間（横目地）或いは建築物の基礎構造と外壁パネルとの間の隙間を防水する水切り材に関する。
【背景技術】
【０００２】
図１は、建築物の上階と下階の外壁パネル間の隙間を防水する従来の水切り材１について示すもので、図２に示すように外壁パネル４の壁下地材２間に差込んで取付けられる取付部３と、上階と下階の外壁パネル間の隙間９より延出して下階の外壁パネル４の上端部に前面まで覆い被さるカバー部５よりなる金属（主としてアルミニウム）製の水切り本体６と、該水切り本体６のカバー部裏面に接着され、下階の外壁パネル４の上端部に密着してシールするゴム又は樹脂製のスポンジ７よりなっている。
【０００３】
水切り材としてはこのほか、下記特許文献１に開示されるような水切り金具が知られる。この水切り金具は、図３に示すように、胴縁１１にビス又は釘１２にて止着される取付部１３と、該取付部１３に一体形成され、下階の外壁パネル１４の上端部に前面まで覆い被さるカバー部１５と、同じく取付部１３に一体形成され、上階の外壁パネル１４の下端部より前面に覆い被さる第２のカバー部１６と、取付部１３より垂下し、カバー部１５との間で下階の外壁パネル１４の上端部を挟持する挟持片部１７と、下階の外壁パネル１４の上端部に当接して雨水の侵入を防ぐ弾性変形可能な当接片部１８よりなり、アルミニウム等の金属の押出し成形により成形されている。
【特許文献１】特開平１１−６２０３０号
【発明の開示】
【発明が解決しようとする課題】
【０００４】
図１に示す従来の水切り材は、図２に示す取付状態で雨水が下方より吹き込むと、スポンジ７が雨水を保水し、このために外壁パネル４が腐蝕したり、かびが生えたりし、また水切り材１が錆付くなど外壁パネル４や水切り材１に悪影響を及ぼす懸念がある。またスポンジ７の反力によって水切り材１が所定の位置に納まらず、図２の矢印方向に浮きを生ずるおそれがある。
【０００５】
一方、図３に示す水切り金具においては、弾性変形可能な当接片部１８が外壁パネル１４の上端部に当接してシールするが、当接片部１８は弾性変形可能ではあっても金属であるため、スポンジに比べシール性が劣り、シール性を増すため、強く押付けるほど、反力も増し、カバー部１６が浮上がりがちとなる。また水切り金具は、金属製であるため、複雑な成形加工が困難であり、例え樹脂材料と組合わせて複合化させるにしても、金属の躯体部へ樹脂を一体化させる必要があり、成形加工性が煩雑である。
【０００６】
本発明は、スポンジ或いは当接片部によるシールの上記問題点を解決することができる水切り材を提供することを目的とする。
【課題を解決するための手段】
【０００７】
請求項１に係る発明は、外壁パネル４が取付けられる下地材２に取付けられる取付部３と、上階と下階の外壁パネル４間の隙間９より延出して下階の外壁パネル４の上端部前面、又は基礎構造と外壁パネル間の隙間９より延出して基礎構造の上端部に前面まで覆い被さるカバー部５を有する金属製又は硬質樹脂ないし硬質ゴム製の水切り本体２２と、該水切り本体２２の裏面に取付手段によって取付けられ、外壁パネル４又は基礎構造の上端部に弾接する軟質樹脂又は軟質ゴム製のリップ２８ａ、２８ｂ、２８ｃを一体形成した樹脂又はゴム成形品よりなるシール部２３とを有する建物外壁の防水用水切り材において、上記リップが外壁パネル上端部又は基礎構造上端部に内外から弾接する第１及び第２のリップ２８ａ、２８ｂと、外壁パネル上端面又は基礎構造上端面に弾接する第３のリップ２８ｃとよりなることを特徴とし、
請求項２に係る発明は、請求項１に係る発明の取付手段が水切り本体に形成される被嵌合部と、シール部に一体形成され、上記被嵌合部に押し込んで嵌合係止する嵌合部とよりなることを特徴とする。
【発明の効果】
【０００９】
請求項１に係る発明によると、リップは軟質樹脂又は軟質ゴムで形成されるため、外壁パネル又は基礎構造に弾接した状態で金属製のリップに比べ、シール性に優れ、又反力も小さく、水切り材の浮きを生ずることがないこと、リップはまた、スポンジと異なって保水性がなく、そのため外壁パネルや水切り本体の腐蝕、かびの発生等の問題を生ずることがないこと、第１〜第３のリップが外壁パネル又は基礎構造の上端部の内外及び上面に弾接して防水が三段階で行われ、シール性が向上すること、各リップが外壁パネル又は基礎構造上端部に三方から当たることにより装着時の納まりがよく、また各リップは軟質樹脂又は軟質ゴムで形成されるため、いずれの方向への反力も小さく、水切り材に浮きを生ずることがないこと等の効果を有する。
【００１０】
シール部の水切り本体への取り付けは、両面粘着テープや接着剤により接着して行うこともできるが、請求項２に係る発明のように、シール部に嵌合部を設けると共に、水切り本体に被嵌合部を設ければ、嵌合部を被嵌合部に押込んで嵌め込むだけで取付けることができ、取付作業が容易となる。
【発明を実施するための最良の形態】
【００１２】
以下、本発明の実施形態の水切り材について図面により説明する。図中、図１及び図２に示す従来のものと同一構造部分には同一符号を付した。
【００１３】
図４に示す水切り材２１は、水切り本体２２と、該水切り本体２２の内側に取付手段によって取付けられる樹脂成形品のシール部２３よりなっており、以下、その詳細について順に説明する。
【００１４】
水切り本体２２は、金属、好ましくはアルミニウム製で、外壁パネル４の下地材２に取付けられる取付部３（この取付部３は図示する例では、図２に示す従来例と同様、上階と下階の外壁パネル４の下地材２間に差込んで取付けているが、胴縁８を含む下地材２にビス又は釘等によって取付けてもよい）と、取付部３から上階と下階の外壁パネル間の９を通って延出し、下階の外壁パネル４の上端部にその前面まで覆い被さるカバー部５と、該カバー部５の内側に突出するリブ２５によりカバー部５との間に形成される凹状の被嵌合部２６とよりなっている。
【００１５】
シール部２３は、天井部２７ａと、その両側の脚部２７ｂ、２７ｃとで台形断面をなし、一方の脚部２７ｂの根元に外側方に突出するリブ２７ｄを形成した硬質樹脂製の本体２７と、各脚部２７ｂ、２７ｃの先端に斜め内向きに突出形成されると共に、脚部２７ｃ寄りの天井部２７ａから斜め下向きに突出形成される軟質樹脂製（スポンジを含む）のリップ２８ａ、２８ｂ、２８ｃと、リブ２７ｄの先端に同じく軟質樹脂製のリップにより矢印状に形成され、前記被嵌合部２６と共に樹脂成形品２３の取付手段を構成する嵌合部２９とからなり、シール部２３は水切り本体２２に嵌合部２９を水切り本体２２の被嵌合部２６に押し込んで嵌め込むことにより取付けられるようになっている。なお、シール部２３の本体２７を形成する硬質樹脂と、各リップ２８ａ、２８ｂ、２８ｃ及び嵌合部２９を構成するリップを形成するスポンジを含む軟質樹脂としては、いずれも例えばポリプロピレンやオレフィン系熱可塑性エラストマー等の熱可塑性樹脂、例えばＥＰＤＭゴムやウレタンゴム等のゴム、或いは熱硬化性樹脂等を用いることができる。
【００１６】
上記実施形態では、嵌合部２９が矢印状をなして凹状の被嵌合部２６に押し込んで装着されるようになっているが、嵌合部２９を断面Ｕ形状に形成してリブ２５に差込んで取付けられるようにしてもよい。この場合にはしたがってリブ２５が被嵌合部となる。
【００１７】
水切り材２１の施工は、上階の外壁パネル４取付前の上階と下階の下地材２間にシール部２３を取付けた水切り材２１の取付部３を差込み、各リップ２８ａ、２８ｂ、２８ｃが下階の外壁パネル４の上端部に内外及び上面から当たるようにしてシール部２３を外壁パネル上端部に被せ装着する。この状態で水切り本体２２のカバー部５は図５に示すように下階の外壁パネル４の上端部に前面まで覆い被さる。水切り材２１取付後、上階の外壁パネル４が取付けられる。図５は施工後の状態を示す。
【００１８】
なお、外壁パネル４の上端部に内外及び上面から当たる上述するリップ２８ａ、２８ｂ、２８ｃは、そのうちの一つだけでも前記した請求項１に係る発明の効果を奏することが可能であり、したがってリップ２８ａ、２８ｂ、２８ｃのうち、少なくとも一つのリップを除き、他のリップは必須ではない。
【００１９】
また上記実施形態の水切り材は、上階と下階の外壁パネル間の隙間を防水するために用いられているが、これ以外に、基礎構造と外壁パネル間の隙間を防水するためにも用いることができる。
【図面の簡単な説明】
【００２０】
【図１】従来の水切り材の一部を切り欠いた斜視図。
【図２】図１に示す水切り材を用いて施工した建物外壁の要部の断面図。
【図３】別の従来例の断面図。
【図４】本発明に係る水切り材の断面図。
【図５】図４に示す水切材を用いて施工した建物外壁の要部の断面図。
【符号の説明】
【００２１】
２・・下地材
３・・取付部
４・・外壁パネル
５・・カバー部
８、１１・・胴縁
９・・外壁パネル間の隙間
２１・・水切り材
２２・・水切り本体
２３・・シール部
２５・・リブ
２６・・被嵌合部
２７・・本体
２８ａ、２８ｂ、２８ｃ・・リップ
２９・・嵌合部
【図１】
0004859767.tif 000002
【図２】
0004859767.tif 000003
【図３】
0004859767.tif 000004
【図４】
0004859767.tif 000005
【図５】
0004859767.tif 000006